(57)【要約】【目的】初期筆記でインキがとぎれやすいボールペン、攪拌する必要が無く、容器の側面を押圧する煩わしさの無い修正用のボールペンを使用したノック式筆記具等に於いて、インキ切れの回復や加圧効率を損なう問題を解決可能とする。【構成】先端にボールペンのチップと後方にインキ収容管を備え、インキ収容管にインキとインキの後端にインキの蒸発を防止し且つインキの消耗と共にインキに追随するフォロアが設けられてなるボールペンのリフィールと、そのリフィールを搭載して先端からチップ先端部を出没状態に係止可能とするノック機構部を備えたノック式筆記具に於いて、リフィールの後端とノック機構部の前端との間に加圧機構部が設けられて、ノックしてチップ先端部を突出させた状態に係止すると共にリフィールのフォロアの後端が加圧された状態となされて、インキのチップ側への流動性が支援可能となる。【選択図】                図２
2004345225.tif 000002
【特許請求の範囲】
【請求項１】
先端にボールペンのチップと後方にインキ収容管を備え、インキ収容管にインキとインキの後端にインキの蒸発を防止し且つインキの消耗と共にインキに追随するフォロアが設けられてなるボールペンのリフィールと、そのリフィールを搭載して先端からチップ先端部を出没状態に係止可能とするノック機構部を備えたノック式筆記具に於いて、
リフィールの後端とノック機構部の前端との間に加圧機構部が設けられて、ノックしてチップ先端部を突出させた状態に係止すると共にリフィールのフォロアの後端が加圧された状態となされて、インキのチップ側への流動性が支援されるように構成されたことを特徴とするノック式筆記具。
【請求項２】
加圧機構部は、ノック機構部の前端に設けられた後端閉塞状の加圧筒部と、その内孔にスプリングを介して加圧筒部に対し前後に摺動するように設けられた加圧軸部とで構成され、その加圧軸部の外周に円周状の溝部とその溝部内の前端側に加圧軸部の軸心を貫通する孔部と連通する通気路が設けられ、シールリングが前記溝部内に前後動可能に密挿されて、加圧軸部に対して加圧筒部が前進作動した時に、シールリングが溝部内の前端側に寄って前記通気路が閉塞された状態でシールリングの外周部が加圧筒部の内周部に密接した状態で摺動して、加圧筒部内の空気が加圧軸部の軸心内孔に押し込まれるように構成されてなる請求項１に記載のノック式筆記具。
【請求項３】
加圧軸部に対して加圧筒部が前進した状態から後退作動した時に、シールリングが溝部内の後端側に寄って通気路が開口した状態に摺動して、加圧筒部内が外気と連通した状態で後退可能となるように構成されてなる請求項２に記載のノック式筆記具。
【発明の詳細な説明】
【０００１】
【産業上の利用分野】
本発明は、初期筆記でインキ切れしやすいインキを使用したボールペン、主として誤記等を白色のインキで隠蔽することで修正可能とするボールペン等のリフィールを搭載したノック式筆記具に関する。
【０００２】
【従来の技術】
【特許文献１】特開平８−５２４０７
【特許文献２】特表平７−５０６８６２
【特許文献３】特開２００１−１２１８８５
【特許文献４】特開２００１−２０５９８０
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献２）
また、軸筒の後端にポンピング式の加圧機構部が設けられて、そのポンピングの前進作動によってボールペンリフィールの後端孔に空気が押し込まれてフォロアの後端が加圧され、インキのチップ側への流動性が支援されるように構成されたものが提案されている。（特許文献３）
このものは、押し体の前進を解除すると後退して外気と同じになるので加圧効果が持続しない欠点がある。また、加圧した状態から減圧の影響を有して後退するので加圧効果が十分でない問題がある。
また、インキ充填後のインキ収容管内の後端部側に加圧ガスを封入し、この加圧ガスの封入による内圧を利用することにより、ボールペンの上向き筆記を可能にするとともに、インキ収容管内でのインキの逆流現象によるインキ漏れを防止してなる加圧ボールペンが提案されている。しかしながら、このような加圧ボールペンでは、インキ収容管内への加圧ガスの封入によってコスト高になり、製造設備も複雑化するために、生産性に劣るばかりでなく、経時によって内圧が低下することを防止するために加圧力や各組み付け部品の材質、組み付け部位のシール性にも厳重な管理が必要となる。
また更に、初期筆記でインキがとぎれやすいインキを使用したボールペン、主として誤記等を白色のインキで隠蔽することで修正可能とするボールペンのリフィールを搭載した本発明の元となるノック式筆記具が提案されている。（特許文献４）このものは、コスト的にも安価に提供可能となるものであるが、加圧筒部を前進した状態から後退作動した時に、加圧筒部内が減圧される側に作用する為にインキが逆流側に影響を受けて、筆記先端部に於いてインキ切れを誘発する虞があり、インキ切れの回復や加圧効率を損なう問題が存在する。
【０００３】
一般に粘性の低いインキまたは剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、上記の従来技術に鑑みてなされたもので、初期筆記でインキがとぎれやすいインキを使用したボールペン、主として誤記等を白色のインキで隠蔽することで修正可能とするボールペンのリフィールを搭載したノック式筆記具であって、攪拌する必要が無く、容器の側面を押圧する容器の側面を押圧する煩わしさの無い誤記等修正用のボールペンを安価に提供可能とすると共に、加圧筒部を前進した状態から後退作動した時に、加圧筒部内が減圧される側に作用する為にインキが逆流側に影響を受けて、筆記先端部に於いてインキ切れを誘発してインキ切れの回復や加圧効率を損なう問題を解決可能とする。
【０００５】
【課題を解決するための手段】
本発明は、上記課題を達成する為に以下の構成を有する。
請求項１に記載の発明に係るノック式筆記具は、先端にボールペンのチップと後方にインキ収容管を備え、インキ収容管にインキとインキの後端にインキの蒸発を防止し且つインキの消耗と共にインキに追随するフォロアが設けられてなるボールペンのリフィールと、そのリフィールを搭載して先端からチップ先端部を出没状態に係止可能とするノック機構部を備えたノック式筆記具に於いて、リフィールの後端とノック機構部の前端との間に加圧機構部が設けられて、ノックしてチップ先端部を突出させた状態に係止すると共にリフィールのフォロアの後端が加圧された状態となされて、インキのチップ側への流動性が支援され、インキ切れの回復やインキ切れの発生を防止可能とする。
【０００６】
請求項２に記載の発明に係るノック式筆記具は、請求項１に記載のノック式筆記具に於いて、加圧機構部は、ノック機構部の前端に設けられた後端閉塞状の加圧筒部と、その内孔にスプリングを介して加圧筒部に対し前後に摺動するように設けられた加圧軸部とで構成され、その加圧軸部の外周に円周状の溝部とその溝部内の前端側に加圧軸部の軸心を貫通する孔部と連通する通気路が設けられ、シールリングが前記溝部内に前後動可能に密挿されて、加圧軸部に対して加圧筒部が前進作動した時に、シールリングが溝部内の前端側に寄って前記通気路が閉塞された状態でシールリングの外周部が加圧筒部の内周部に密接した状態で摺動して、加圧筒部内の空気が加圧軸部の軸心内孔に押し込まれるように構成されてなる。
【０００７】
請求項３に記載の発明に係るノック式筆記具は、請求項２に記載のノック式筆記具に於いて、加圧軸部に対して加圧筒部が前進した状態から後退作動した時に、シールリングが溝部内の後端側に寄って通気路が開口した状態に摺動して、加圧筒部内が外気と連通した状態で後退可能となり、加圧筒部内が減圧されるのを防止する。
【０００８】
【実施例】
図１乃至図７は本発明の一実施例を示している。
先ず、図１乃至図３は、ボールペンのリフィール２２をノック式筆記具にペン先を収容状態に搭載した状態を示している。
軸筒１は、後端に切欠部２を設けて段差を有した端部Ａ３と端部Ｂ４が形成され、側面の所定箇所に短い窓部５が穿設されて、更に前端に後述する先軸１８を着脱可能とする接合部６が設けられている。接合部６は、螺子部や相互間を弾性的に接合する係合部など設計都合によって選択される。また、リフィールの交換を不要とすれば軸筒の先方に先軸を一体に設けることも可能である。
【０００９】
また、ノック棒７は、前端開口部に後方に向かって滑らかな内周部１１ａを備え、後端が隔壁部９で閉塞された加圧筒部１１と、その加圧筒部１１の後方に軸直角方向に矩形状に貫通した長孔部１０と、更にその長孔部１０の後端に軸部８がそれぞれ一体に接合された状態で設けられている。また更に、長孔部１０の一開放側の前方寄りに２カ所で仕切り部１３ａ、１４ａが一体に形成され、それぞれの後端に後述するマツバの先端係止部が係止する段部Ａ１３と段部Ｂ１４が設けられている。また、前記加圧筒部１１の前端内孔部周面に突条または周状の突部となった係止部１２が設けられている。
【００１０】
また、係止部材１５（通称マツバなどと呼ばれている。）は、板状で前方に向かって二股の脚部を有し、下端側の脚部に対し上端側の脚部が拡開方向に弾性力を有した樹脂成形品で形成されてなり、更に上端側の脚部の略中間に上方に突出した押し釦１６を有し、その脚部の前端に係止部１７が設けられている。
【００１１】
上記ノック棒７の長孔部１０に係止部材１５が挿入され、係止部材１５は、その上端側の脚部が軸心側に弾性変形された状態でノック棒７と共に軸筒１の後端孔から挿入され、押し釦１６が上記軸筒の窓部５に貫出した時点で係止部材１５が軸筒１に対し固定される。その時、係止部材１５の下端側脚部の前端下部が軸筒の内孔の下壁面に当接し、上端側の脚部は拡開作用で内孔の上壁面に附勢されている。このノック棒７と係止部材１５の組み合わせによるノック機構部はマツバ式ノック機構としてよく知られた構造のものである。
【００１２】
また、ノック機構部を後端側からノック棒、回転子（筆記先端部を出没させるためにノック式のボールペン等に用いられる機構）で構成して、回転子の前方に加圧機構部を配設することが可能である。更に、回転子の前方に一体で加圧筒部（この部の詳細は後述する）を設けることも可能である。
【００１３】
ところで、加圧機構部は、ノック機構部の前端に設けられた後端閉塞状の加圧筒部と、その内孔にスプリングを介して加圧筒部に対し前後に摺動するように設けられた加圧軸部とで構成されている。
加圧軸部３２は、鍔部３４後方の後軸部３５外周に円周状の凹溝部３５ａが形成され、その凹溝部３５ａの上端部の内孔に段部３７が形成されて、凹溝部３５ａ内の前端側に前記段部３７に開通した通気口３６から加圧軸部３２の軸心に貫通する孔部に連通する小孔３５ｂ（通気路）が設けられ、更に凹溝部３５ａ内には例えばゴム等の弾性体よりなるシールリング３８が密挿されると共に、シールリング３８は凹溝部３５ａに対し前後動可能となされている。
また、鍔部３４前方の前軸部３３外周に所要箇所に円周状の突部となしたシール部３３ａが形成され、前軸部３３外周に後述するリフィールが装着された時に、リフィールのインキ収容管２８の内面に気密状に密接する。
【００１４】
以上により、段部３７と加圧筒部１１の閉塞された内孔端との間にスプリング３９が敷設された状態で加圧軸部３２が加圧筒部１１の内孔に挿入され、加圧筒部１１の前端内孔部周面に設けられた突条または周状の突部となった係止部１２に加圧軸部の鍔部３４が弾性的に係合されて、加圧軸部３２はスプリング３９の押圧力によって常時前方に附勢されると共に抜出不可となされている。また、鍔部３４外周の所要箇所に切欠溝３４ａが設けられ、切欠溝３４ａによって鍔部３４の前後が加圧筒部１１の外部に通気可能となされている。尚、加圧筒部と加圧軸部の係止手段、切欠溝によって鍔部の前後が加圧筒部の外部に通気可能となされるための通気手段は上記実施形態に限定されないものである。
【００１５】
加圧機構部は、加圧軸部３２に対して加圧筒部１１が前進作動した時に、シールリング３８が凹溝部３５ａ内の前端側に寄って小孔３５ｂ（通気路）が閉塞され、その状態でシールリング３８の外周部が加圧筒部１１内孔の内周部に密接した状態で摺動して、加圧筒部１１内の空気が加圧軸部３２の軸心内孔に押し込まれる。また、加圧軸部３２に対して加圧筒部１１が前進した状態から後退作動した時に、シールリング３８が凹溝部３５ａ内の後端側に寄って通気路が開口した状態に摺動して、加圧筒部内が外気と連通した状態で後退可能となる。（但し、厳密にはシールリング３８が凹溝部３５ａの後端側に寄って小孔３５ｂが開口される迄の摺動間隔は減圧方向に作用する。）
【００１６】
ところで、シールリング３８は、ゴム等の弾性体や弾性のある成形樹脂などより成り、機密性、滑り性のよいものが選択され、また潤滑剤を介在させるなど配慮されるが、加圧筒部１１内孔の内周面とシールリング３８の外周面との間の摩擦抵抗に対してシールリング３８の内周面と加圧軸部３２外周の凹溝部３５ａの周面との間の摩擦抵抗は十分小さく設定されることが必要である。従って、必要に応じて加圧軸部あるいは凹溝部３５ａ部位を摩擦係数の小さな材質を選択したり、シールリングの外面を軟質、内面を硬質の二層構造としたり、シールリングの内面や凹溝部の周面に摩擦抵抗を軽減する処理などが施される。尚、基本的にはシールリングが凹溝部の前端側に寄った（小孔が閉塞される）状態以外は、シールリングが溝部に遊嵌される状態であってもよい。
【００１７】
ここで、ボールペンのリフィールについて説明する。
図７に示すように、ボールペンのリフィール２２のインキ収容管２８内には白色顔料インキ２９が充填され、そのインキの後端にインキの消耗と共にインキと追随するグリース状のフォロア３０が充填されている。また、フォロアはインキと相溶性が無くまたインキの蒸発を防止する性能を有している。
また、必要に応じてフォロア内にフォロアと略同等の比重を有する樹脂製のフォロア棒３１が浸漬される。尚、フォロアは例えばシリコンゴム等の追従体とすることも可能である。
【００１８】
本発明に使用されるインキ２９は、初期筆記でインキがとぎれやすい油性インキや水性顔料インキなどであるが、例えば修正液として用いられる酸化チタンを含有する白色顔料インキ等を使用することも可能であり、この場合、インキの粘度は、２５℃の雰囲気中において、剪断速度４００／ｓでは１０００ｍＰａ・ｓ以下で、５／ｓでは３００ｍＰａ・ｓ以上であることが好適である。
また、白色顔料インキは、酸化チタン、高分子中空微粒子等の白色顔料にゲル化剤などを含み、剪断減粘性を有して顔料の沈降が防止されると共に流動性が極力損なわれないように配合された白色顔料インキとすることができ、筆記時の先端ボールの回転で粘度が低下するのと相まって隠蔽性の高い塗布が可能である。
【００１９】
また図に示すように、継ぎ手２３は鍔部２３ｂの前方に前軸部２３ａが、後方に後軸部２３ｃが形成され、前軸部２３ａ前端のチップ嵌着孔２３ｄに先端ボール２６を抱持したチップ２４の軸部２４ａが固着されている。また、チップ２４はインキ流入可能なチャンネルを有した座に先端ボール２６が略当接した状態で、先端ボール２６が回転自在に抱持されるようカシメられている。また、チップ２４の内孔部にスプリング２５が内挿され、チップの軸部２４ａの後端が適宜カシメられてスプリング２５の後端が抜出不能となされている。
【００２０】
また、スプリング２５の前方には直線状の棒軸部２５ａが形成され、当該棒軸部２５ａの先端が先端ボール２６の背面に押圧状態に当接している。また、先端ボール２６はその押圧でチップ２４のボール抱持部（カシメ等で形成）の内縁に密接状態と成されている。尚、スプリングの前面に先端ボール２６の背面を押圧する押し部材を設けることも、また、上記棒軸部を極細巻きのコイル状となすことも可能である。また更に、チップを耐磨耗性やインキのシール性能に優れた樹脂成型品となして、先端ボールの背面を押圧するバネ座を一体または別体のバネ座を設けて構成することも可能である。
【００２１】
また、先端ボール２６がボール抱持部の内面に密接することはインキが高粘度であっても筆記先端の乾燥、インキの直流防止に対し極めて重要である。
即ち、本願のような主に誤記修正塗布用のボールペンは、インキの吐出量を多くする為に、筆記用のボールペンに比較して先端ボールの後退する寸法が大きく設定されている。また、必要に応じて先端ボール２６を抱持するチップ内面の表面粗さ、カシメによる密接精度を改善する為に内面の研削仕上げ、カシメ精度を上げる為の二次的な塑性加工などが配慮される。また、必要によっては先端ボールとの密接面に表面処理などが配慮される。
【００２２】
また、上記チップ嵌着孔２３ｄの後方にチップ２４の軸心と適宜偏心させた弁室２３ｅが設けられ、弁室２３ｅの後部には導孔２３ｈに連通してテーパー状または球面状の弁体受け座２３ｆが形成されている。また、弁室２３ｅの内壁の一側にはインキが流入可能な溝部２３ｇが形成されている。
また、弁室２３ｅ内には球状の弁体２７が遊嵌されて、チップ２４を下向きにした状態で弁体２７がチップの軸部２４ａの後端に偏倚した状態に当接して、上記溝部２３ｇ等を通じて導孔２３ｈから流入したインキがチップ内孔部に流入するように構成されている。尚、弁体は弁体受け座に密接する側をテーパー状または球面状に成した軸状体とすることも可能である。またその際には、チップの軸部後端に当接する側の周面にチップ内にインキが流入する溝を形成することで弁室を上記のようにチップ軸心に対し偏心させる必要はない。
【００２３】
また、継ぎ手２３の鍔部２３ｂの後方には後軸部２３ｃが延設され、後軸部２３ｃの外周には筒状のインキ収容管２８がその前端を鍔部２３ｂの後端に当接して圧入固着されている。尚、インキ収容管２８は一例として透明のＰＰ樹脂成形品等が使用される。また、実施例は継ぎ手とインキ収容管が別部材で形成されているが、両者を一体の樹脂成形品で形成することも可能である。
以上のようにリフィール２２は構成されている。
【００２４】
次に、ノック式筆記具にリフィール２２を搭載する構成について説明する。
図１乃至図３に示すように、リフィール２２は、インキ収容管２８の後端を加圧軸部３２の前軸部３３外周に密嵌して取付けられ、リフィールの継ぎ手２３の段部２３ｊと先軸１８の内段部１９との間にリターンスプリング４０が設けられて、リフィール２２を先軸１８に対し後方に附勢した状態で先軸１８が軸筒１の先方に固定される。この状態は、ペン先が先軸の先端口２１内に収容されたノック式筆記具の保管時、あるいは携帯時の状態を示している。
【００２５】
尚、上述した加圧機構部に用いられるスプリング３９の附勢力は、リターンスプリング４０による附勢力より適宜大きく設定されており、ペン先が先端口２１から突出した状態に係止される迄はスプリング３９は略圧縮変位しない関係に設定され、図２に示すように、加圧筒部内は外気と連通した状態にある。
【００２６】
【作用】
即ち、リフィール２２の前進が阻止された状態で加圧軸部３２に対して加圧筒部１１が前進し、加圧筒部１１が適宜前進作動した直後においてシールリング３８が加圧軸部の小孔３５ｂを閉塞して加圧筒部１１内を外気と遮断し、加圧筒部内の空間部１１ｂが縮小すると共に加圧されるよう構成されている。
先ず、図１乃至図３は、ノック式筆記具の保管及び携帯時を示すものである。この状態からノック棒７を軸筒後端の端部Ａ３までノック前進し、ノックを解除すると、図４に示すように係止部材１５前端の係止部１７がノック棒の段部Ａ１３に係止する。その時、図５に示すようにリフィール２２が前進し、ペン先（チップ２４）が先端口２１から突出し、筆記状態となる。
【００２７】
即ち、継ぎ手２３の段部２３ｉが先軸１８に設けた先内段部２０に当接してリフィール２２の前進が阻止され、加圧筒部内が外気と遮断されると共に加圧筒部内の空間部１１ｂが小さいストロークで縮小してフォロア３０の後端が加圧されてインキのチップ側への流動性が支援される。そのことは、落下衝撃やインキの流動性の悪さ等に起因して先端ボールの周面からインキが離れてしまい連続的なインキの流出がとぎれるのを防止する作用ととぎれた時に回復する作用となる。
これが第１のノック手段である。
尚、ノック棒７の後端を軸筒後端の端部Ａ３と同面までノックしてノック操作を解除すると、僅かにノック棒が後退して係止部材１５先端の先端係止部１７がノック棒の段部Ａ１３に係止する。（係脱の設計都合上必要な遊び）
この遊び分シールリング３８が後退するが、小孔３５ａの閉塞状態が維持されるように設けられている。
【００２８】
また、ノック棒７を軸筒後端の端部Ｂ４までノック前進し、ノックを解除すると、図６に示すように係止部材１５先端の係止部１７がノック棒の段部Ｂ１４に係止する。また、加圧筒部内の空間部１１ｂは大きなストロークで縮小してフォロア３０の後端が加圧状態となり、インキのとぎれが重度（強固）な時やインキ収容管のインキ残量が少なくなった時にインキのチップ側への流動性が支援される。また、その状態でノック棒７の後端を軸筒後端の端部Ａ３と同面までノック及び解除を繰り返すことによって、フォロア３０の後端に加圧波が加わり一層インキのチップ側への流動性が支援される。
これが第２のノック手段である。
尚、この場合も遊び分シールリング３８が後退するが、同様に小孔３５ａの閉塞状態が維持されるように設けられている。また、ノック棒７の段部と係止部材１５の係止部１７との係止状態を解除する為には押し釦１６を軸筒１の軸心方向に押圧することで可能となる。
【００２９】
次に、リフィール２２の基本機能について説明する。
先ず、筆記しない状態ではスプリング２５の押圧で先端ボール２６がチップ抱持部の内縁に密接されるのでインキ２９の直流及び逆流が防止される。
また、筆圧により先端ボール２６が微小に後退するので隙間を生じてインキが流出可能となり、筆記により先端ボール２６の回転でインキが流出されて筆記される。ところで、チップ２４を上向きにした状態では、弁体２７が弁体受け座２３ｆに密接して導孔２３ｈを密閉するので、上向き筆記で先端ボール２６背面のインキがなくなってもインキが逆流しない。従って、チップ２４を下向きにした時にインキが即流出可能となり、インキのとぎれが抑制される。因みに弁体を有しない構造では、上向き筆記でインキのヘッドが逆流方向に作用するのでチップ内に空気を巻き込み下向き筆記で即インキが追随しない問題が起きる。また、上向き筆記の繰り返しで空気巻き込みが徐々に累積される問題がある。
【００３０】
また、フォロア棒３１はインキ収容部が大径である場合に使用される。即ち、グリース状のフォロア３０は、インキ収容管が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３１】
また、先端ボール２６は、常時ボール抱持部の内縁に密接しているので先端部位の乾燥で筆記掠れが防止される。また、先端ボール２６と弁体２７の共同作用で上向き筆記や衝撃が加わっても空気の巻き込みが緩和されるのでインキのとぎれが防止される。又、インキの直流及び逆流はスプリング２５による先端ボール２６への押圧で果たされるが、ボール抱持部の加工バラツキによる先端ボール２６との密接不完全状態や、ボール抱持部と先端ボール２６との隙間に固形物が付着した場合の密接不完全状態を補足して、インキの大きなヘッドを支えてインキの逆流を確実に防止することと、空気巻き込みの緩和をするよう共同する。
【００３２】
上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必須のものではなく、特に誤記修正用のボールペンは上向きに使用されることはまず無いので必ずしも必要としない。
【００３３】
【発明の効果】
本発明のノック式筆記具の構成及び作用は以上の如くであり、加圧筒部を前進した状態から後退作動した時に、加圧筒部内が減圧される側に作用する為にインキが逆流側に影響を受けて、筆記先端部に於いてインキ切れを誘発してインキ切れの回復や加圧効率を損なう問題が解決可能となり、
初期筆記でインキ切れしやすいインキを使用したボールペン、酸化チタン、高分子中空微粒子等の白色顔料とゲル化剤などを含み、顔料の沈降が防止されると共に、白色顔料と溶剤とが分離するような問題がなく、従ってインキを攪拌する必要がなく、筆記に際して容器の側面を押圧するようなこともなく、更に煩わしいキャップの着脱もない使い勝手の良い誤記修正用ボールペンなどのノック式筆記具が問題なく提供可能となる。
【図面の簡単な説明】
【図１】本発明のノック式筆記具の後半部を示す縦断面図で、ペン先が先軸の先端口から没入した状態に対応している。
【図２】図１に於ける要部を拡大した図である。
【図３】図１に対応した、ペン先が先軸の先端口から没入した状態を示した一部非断面の縦断面図である。
【図４】後端をノックして、第１のノック状態となされたノック式筆記具の後半部を示す縦断面図で、ペン先が先軸の先端口から突出した状態に対応している。
【図５】ペン先が先軸の先端口から突出した状態を示した縦断面図である。
【図６】後端をノックして、第２のノック状態となされたノック式筆記具の後半部を示す縦断面図である。
【図７】リフィールの縦断面図である。
【符号の説明】
１        軸筒
２        切欠部
３      端部Ａ
４      端部Ｂ
５      窓部
６      接合部
７      ノック棒
８      軸部
９      隔壁部
１０    長孔部
１１    加圧筒部
１１ａ  内周部
１１ｂ  空間部
１２    係止部
１３    段部Ａ
１３ａ  仕切り部
１４    段部Ｂ
１４ａ  仕切り部
１５    係止部材
１６    押し釦
１７    係止部
１８    先軸
１９    内段部
２０    先内段部
２１    先端口
２２    リフィール
２３    継ぎ手
２３ａ  前軸部
２３ｂ  鍔部
２３ｃ  後軸部
２３ｄ  チップ嵌着孔
２３ｅ  弁室
２３ｆ  弁体受け座
２３ｇ  溝部
２３ｈ  導孔
２３ｉ  段部
２３ｊ  段部
２４    チップ
２４ａ  軸部
２５    スプリング
２５ａ  棒軸部
２６    先端ボール
２７    弁体
２８    インキ収容管
２９    インキ
３０    フォロア
３１    フォロア棒
３２    加圧軸部
３３    前軸部
３３ａ  シール部
３４    鍔部
３４ａ  切欠溝
３５    後軸部
３５ａ  凹溝部
３５ｂ  小孔
３６    通気口
３７    段部
３８    シールリング
３９    スプリング
４０    リターンスプリング
【図１】
2004345225.tif 000003
【図２】
2004345225.tif 000004
【図３】
2004345225.tif 000005
【図４】
2004345225.tif 000006
【図５】
2004345225.tif 000007
【図６】
2004345225.tif 000008
【図７】
2004345225.tif 000009